(57)【要約】      （修正有）【課題】設置の自由度が高いオープンショーケース用のカバー装置を提供する。【解決手段】カバー装置１は、長手方向に連続する巻き癖が付与されたシート状のカバー部材２と、カバー部材が外周に巻き回される芯材３と、芯材を回転可能に支持するホルダ４と、を有している。芯材から引き出されたカバー部材が、巻き癖により芯材に巻き取られる。芯材は、カバー部材の長手方向の一端側が外周に固定された筒状部材である。芯材は、カバー部材の幅方向に沿う向きで設けられており、筒状の芯材の内部をホルダが貫通している。ホルダは、貫通方向に伸縮可能である。【選択図】図１
0003222330.tif 000002
【実用新案登録請求の範囲】
【請求項１】
長手方向に連続する巻き癖が付与されたシート状のカバー部材と、
前記カバー部材が外周に巻き回される芯材と、を有しており、
前記芯材から引き出された前記カバー部材が、前記巻き癖により前記芯材に巻き取られることを特徴とするカバー装置。
【請求項２】
長手方向に連続する巻き癖が付与されたシート状のカバー部材と、
前記カバー部材の長手方向の一端側が外周に固定された芯材と、を有しており、
前記カバー部材は、
帯状の樹脂シートを長手方向の途中位置で折り返して、折り返し部を起点として巻いた基本形状を有すると共に、前記基本形状で保持されるように前記巻き癖が付けられていることを特徴とするカバー装置。
【請求項３】
前記芯材は、前記カバー部材の長手方向の一端側が外周に固定された筒状部材であり、
前記芯材は、前記筒状部材の内部を貫通したホルダで回転可能に支持されており、
前記ホルダは、貫通方向に伸縮可能な軸状部材であることを特徴とする請求項１または請求項２に記載のカバー装置。
【請求項４】
前記軸状部材の両端に、磁石が設けられていることを特徴とする請求項３に記載のカバー装置。
【請求項５】
前記カバー部材の長手方向の他端に、前記カバー部材の幅方向に沿う帯状部材が設けられており、
前記帯状状部材に、磁石が設けられていることを特徴とする請求項１から請求項４のうちの何れか一項に記載のカバー装置。
【請求項６】
長手方向に連続する巻き癖が付与されたシート状のカバー部材と
前記カバー部材の長手方向の一端と他端に、前記カバー部材の幅方向に沿う向きで設けられた帯状部材と、
前記帯状部材に設けられた磁石と、を有し、
前記カバー部材は、
帯状の樹脂シートを長手方向の途中位置で折り返して、折り返し部を起点として巻いた基本形状を有すると共に、前記基本形状で保持されるように前記巻き癖が付けられていることを特徴とするカバー装置。
【請求項７】
間隔をあけて並んだ複数の陳列棚と、
前記陳列棚にアクセス可能な開口部と、を有し、
前記開口部の周縁部にカバー装置が設置されたオープンショーケースであって、
前記カバー装置は、当該カバー装置から引き出されたカバー部材が、前記開口部の周縁部における前記開口部を挟んで前記カバー装置とは反対側の周縁部と、前記複数の陳列棚のうちの任意の陳列棚とのうちの何れかに固定されていることを特徴とするオープンショーケース。
【請求項８】
前記カバー装置は、前記開口部を挟んだ一方側の周縁部と他方側の周縁部にそれぞれ設けられており、
前記一方側の周縁部のカバー装置から引き出されたカバー部材が固定される陳列棚と、前記一方側の周縁部のカバー装置から引き出されたカバー部材が固定される陳列棚との組み合わせを変更することで、前記複数の陳列棚のうちの一部の陳列棚が、前記開口部側からアクセス可能となるように設定されていることを特徴とする請求項７に記載のオープンショーケース。
【請求項９】
前記カバー装置が、請求項１から請求項６の何れか一に記載のカバー装置であることを特徴とする請求項７または請求項８に記載のオープンショーケース。
【考案の詳細な説明】
【技術分野】
【０００１】
本考案は、オープンショーケース用のカバー装置、およびオープンショーケースに関するものである。
【背景技術】
【０００２】
商品を冷蔵または冷凍状態で陳列するショーケースには、商品の取り出しや補充のための開口が設けられているものがある。
特許文献１には、カバー部材を有するカバー装置が開示されており、カバー装置から引き出したカバー部材で開口を覆うことで、ショーケースの開口からの冷気の漏出を抑制している。
【先行技術文献】
【特許文献】
【０００３】
【特許文献１】実用新案登録第３１０２２２２号公報
【考案の概要】
【考案が解決しようとする課題】
【０００４】
特許文献１のカバー装置では、固定軸と回転シャフトの間に設けた巻取ばねにより、カバー装置から引き出されたカバー部材が、カバー装置の内部に自動的に巻き取られるようにしている。
【０００５】
しかしながら、巻取ばねを設けたことによりカバー装置が大型化しており、オープンショーケースにおける設置の自由度に影響がある。
そこで、オープンショーケースにおける設置の自由度が高いカバー装置が求められている。
【課題を解決するための手段】
【０００６】
本考案は、
巻き癖が付与されたシート状のカバー部材と、
前記カバー部材が外周に巻き回される芯材と、を有しており、
前記芯材から引き出された前記カバー部材が、前記巻き癖により前記芯材に巻き取られる構成のカバー装置とした。
【考案の効果】
【０００７】
本考案によれば、引き出されたカバー部材の巻き取りに巻取ばねを必要としないので、カバー装置の小型化が可能であり、設置の自由度が高いカバー装置となる。
【図面の簡単な説明】
【０００８】
【図１】カバー装置を説明する図である。
【図２】カバー装置の断面図である。
【図３】カバー装置の使用例を説明する図である。
【図４】カバー装置の使用例を説明する図である。
【図５】変形例にかかるカバー装置を説明する図である。
【図６】変形例にかかるカバー装置を説明する図である。
【図７】変形例にかかるカバー装置の使用例を説明する図である。
【図８】変形例にかかるカバー装置を説明する図である。
【図９】変形例にかかるカバー装置の使用例を説明する図である。
【考案を実施するための形態】
【０００９】
＜第１実施形態＞
以下、本考案の第１実施形態を説明する。
図１は、ショーケース用のカバー装置１を説明する図である。図１の（ａ）は、カバー部材２の他端２ｂ側を引き出した状態を示す図である。図１の（ｂ）は、カバー部材２の他端２ｂ側を引き出した状態を示す斜視図である。
図２は、カバー装置１の断面図である。図２の（ａ）は、ホルダ４の中心軸Ｃに沿ってカバー装置１を切断した断面図であって、ホルダ４における外筒部４１と内筒部４２とが噛合した領域と、ストッパ５２側の領域の断面図である。図２の（ｂ）は、ホルダ４におけるストッパ５１側の領域の断面図である。図２の（ｃ）は、図１の（ａ）におけるＡ−Ａ断面図である。
【００１０】
図１に示すようにカバー装置１は、長手方向に連続する巻き癖が付与されたシート状のカバー部材２と、カバー部材２が外周に巻き回された芯材３と、芯材３を回転可能に支持するホルダ４と、を有する。
【００１１】
芯材３は、カバー部材２の長手方向の一端２ａ（図２の（ｃ）参照）が外周に固定された筒状部材であり、芯材３の内部を、ホルダ４が貫通している。
【００１２】
図２の（ａ）に示すようにホルダ４は、軸方向（中心軸Ｃ方向）に伸縮可能な軸状部材であり、外筒部４１と、この外筒部４１に挿入された内筒部４２とを有している。
【００１３】
図２の（ａ）に示すように、内筒部４２における外筒部４１に挿入された領域の外周には、ネジ溝４２ａが設けられている。
外筒部４１における内筒部４２が挿入された領域の内周にも、ネジ溝４１ａが設けられている。
外筒部４１と内筒部４２は、互いのネジ溝４１ａ、４２ａ同士を螺合した状態で連結されている。
そのため、外筒部４１と内筒部４２とを中心軸Ｃ回りに相対回転させると、ホルダ４が中心軸Ｃ方向（軸方向）に伸縮するようになっている。
【００１４】
外筒部４１の内部には、スプリングＳｐが収容されている。スプリングＳｐの長手方向の一端は、外筒部４１内に設けたピン４１０により位置決めされている。スプリングＳｐの他端は、軸方向から内筒部４２の一端部４２１に当接している。
スプリングＳｐは、中心軸Ｃ方向に圧縮された状態で外筒部４１内に収容されている。
ホルダ４では、スプリングＳｐから作用する付勢力で、外筒部４１と内筒部４２の中心軸Ｃ方向のガタツキを抑えている。
【００１５】
内筒部４２の他端部４２２は、芯材３の他端３２よりも外側に位置している。
内筒部４２の他端部４２２には、ストッパ５２が取り付けられている。
ストッパ５２には、芯材３側（図中、右側）に開口する凹部５２１と、芯材３とは反対側（図中、左側）に開口する凹部５２２が、設けられている。
凹部５２１と凹部５２２は、共通の中心軸Ｃ方向で反対方向に開口しており、凹部５２１には、内筒部４２の他端部４２２側が中心軸Ｃ方向から挿入されている。
【００１６】
凹部５２２には、磁石５４を支持する支持部材５３が、中心軸Ｃ方向から挿入されて固定されている。支持部材５３は、クッション性を持つ材料で形成されていることが好ましい。
ストッパ５２は、芯材３の他端３２よりも外側で、芯材３の延長上に位置している。
【００１７】
図２の（ｂ）に示すように、外筒部４１の一端部４１１には、ストッパ５１が取り付けられている。
ストッパ５１には、芯材３側（図中、左側）に開口する凹部５１１と、芯材３とは反対側（図中、右側）に開口する凹部５１２が、設けられている。
凹部５１１と凹部５１２は、共通の中心軸Ｃ方向で反対方向に開口しており、凹部５１１には、外筒部４１の一端部４１１が中心軸Ｃ方向から挿入されている。
【００１８】
凹部５１２には、磁石５４を支持する支持部材５３が、中心軸Ｃ方向から挿入されて固定されている。支持部材５３は、クッション性を持つ材料で形成されていることが好ましい。
ストッパ５１は、芯材３の一端３１よりも外側で、芯材３の延長上に位置している。
【００１９】
ホルダ４では、中心軸Ｃ方向の両端に、磁石５４、５４を有するストッパ５１、５２が設けられている。前記したようにホルダ４は、外筒部４１と内筒部４２とを中心軸Ｃ回りに相対回転させると、ホルダ４の中心軸Ｃ方向の全長が伸縮するようになっている。
そのため、外筒部４１と内筒部４２との中心軸Ｃ回りの相対回転により、ストッパ５１とストッパ５２との中心軸Ｃ方向の位置関係が変化する。
【００２０】
図３に示すように、オープンショーケース１０においてホルダ４は、中心軸Ｃ方向の両側に設けたストッパ５１、５２を、間隔をあけて対向配置された一対の側壁部１１１、１１１の内壁に圧接させた状態で、オープンショーケース１０の内部に設置されている。
本実施形態では、側壁部１１１、１１１を鉄などの磁性体で形成することで、ストッパ５１、５２の押圧力に加えて、磁石５４、５４の磁力によって、ホルダ４が、側壁部１１１、１１１の間で強固に保持されるようになっている。
【００２１】
この状態において、ホルダ４が内部を貫通した芯材３は、ホルダ４に対して相対回転可能に設けられている（図１の（ａ）参照）。
そのため、芯材３の外周に巻き回されたカバー部材２を、把手２２を把持して引っ張ると、芯材３が、ホルダ４の中心軸Ｃ回りに回転することで、芯材３に巻き回されたカバー部材２が、引き出されるようになっている。
【００２２】
図１に示すようにカバー部材２は、一枚の帯状の樹脂シートを、当該樹脂シートの長手方向で巻いた基本形状を有している。
カバー部材２を構成する樹脂シートは、可撓性と弾性と耐湿性とを備える透明な樹脂材料から構成される。
本実施形態では、一例として、ポリエチレンテレフタレートからなる樹脂シートが、カバー部材２を構成する材料として採用されている。なお、カバー部材２は、必ずしも透明である必要は無い。
【００２３】
カバー部材２には、当該カバー部材２を厚み方向に貫通する貫通孔２０が設けられている。貫通孔２０は、カバー部材２の略全面に亘って設けられている。
貫通孔２０は、後記するオープンショーケース１０の開口部１５をカバー部材２で覆った際に、カバー部材２の裏面に付着した冷気が結露することを防止するために設けられている。
【００２４】
ここで、本実施形態では、カバー部材２における貫通孔２０の分布は、カバー部材２の全長に亘って（一端２ａから他端２ｂまでの全域に亘って）同じである。
貫通孔２０の分布を、カバー装置１の設置状態を基準とした上下方向で異ならせても良い。
【００２５】
空気の比重は、温度が低くなるほど大きくなるので、オープンショーケース１０内で冷気は、上部よりも下部に多く滞留する。
そこで、カバー装置１の設置状態を基準とした上下方向で、下側に配置される領域での貫通孔２０の分布のほうが、上側に配置される領域での貫通孔２０の分布よりも少なくなるようにしても良い。
このようにすると、貫通孔２０を介してカバー部材２の内側から外側に漏出する冷気の量は、下側部の方が少なくなる。
よって、オープンショーケース１０から漏出する冷気の量を抑えることができるので、冷蔵・冷凍時に使用される消費電力を削減することが可能となる。
【００２６】
図２の（ｃ）に示すようにカバー部材２は、長手方向の一端２ａが筒状の芯材３の外周に固定されている。カバー部材２は、長手方向の一端２ａを起点として、芯材３の外周に巻き回されている。
【００２７】
カバー部材２の他端２ｂには、帯状の芯板２７が幅方向の全長に亘って取り付けられている。芯板２７には、樹脂性のカーテンエッジ２１が係合している。
カーテンエッジ２１は、カバー部材２の幅方向の全長に亘って設けられた帯状部材である。
【００２８】
図２の（ｃ）に示すように、断面視においてカーテンエッジ２１は、厚み方向に間隔を開けて設けられた係合部２１１、２１１を有している。係合部２１１、２１１の先端部には、互いに対向する方向に突出する突出部２１１ａ、２１１ａが設けられている。
突出部２１１ａ、２１１ａは、カバー部材２のみが挿通可能な隙間で対向している。係合部２１１、２１１の間に挿入された芯板２７が、抜け止めされた状態でカーテンエッジ２１に係合している。
【００２９】
図１に示すように、カーテンエッジ２１の幅方向の中央部には、ユーザにより把持される環状の把手２２が取り付けられている。
さらに、カーテンエッジ２１では、把手２２の両側に、磁石２３、２３が取り付けられている。磁石２３、２３は、把手２２を挟んで対称となる位置関係で、カーテンエッジ２１の側面に設けられている。
【００３０】
本実施形態では、把手２２を把持してカバー部材２を引き出した際に、カーテンエッジ２１に設けられた磁石２３、２３の磁力により、カーテンエッジ２１を、オープンショーケース１０の開口部１５の周縁部（後記するアンダーカバー部１１３、アッパカバー部１１４）や、後記する陳列棚１６に固定できるようになっている。
これにより、カバー部材２を伸長した状態で保持できる。
【００３１】
なお、オープンショーケース１０の開口部１５の周縁部にフック部（図示せず）が設けられている場合には、このフック部に把手２２を係止させることで、カバー部材２を伸長した状態で保持できるようにしても良い。
【００３２】
カバー部材２は、芯材３よりも外径が小さい軸状部材の外周に巻き回したのち、その状態で熱をかけることで、巻いた状態の基本形状が保持されるようにして作成される。
このようにして作成されたカバー部材２は、長手方向に連続する巻き癖が付与された基本形状を保持するようになる。さらに、カバー部材２には、芯材３の外周にぴったりと巻き付く巻き癖が付与される。
【００３３】
芯材か３からカバー部材２を引き出した後、把手２２から手を離すと、引き出されたカバー部材２が巻き癖により芯材３に巻き取られるようになっている。
【００３４】
以下、カバー装置１の使用例を説明する。
図３は、カバー装置１の使用例を説明する図である。
図３の（ａ）は、オープンショーケース１０の開口部１５を、カバー装置１のカバー部材２で覆った状態を斜め上方から見た斜視図である。図３の（ｂ）は、オープンショーケース１０の内部における陳列棚１６（１６１〜１６５）の配置と、カバー部材２の配置を模式的に示した図である。
【００３５】
図３に示すように、オープンショーケース１０では、開口部１５を挟んだ上部と下部にカバー装置１が設定されている。
カバー装置１は、ホルダ４の両端のストッパ５１、５２を、オープンショーケース１０の開口部１５を挟んで両側に位置する側壁部１１１、１１１に圧接させた状態で、オープンショーケース１０の内部に設置されている
側壁部１１１、１１１は、磁石５４、５４を固定可能な金属製の材料で形成されている。側壁部１１１、１１１の間におけるオープンショーケース１０の正面に、内部に陳列棚１６が配置された開口部１５が開口している。
【００３６】
側壁部１１１、１１１では、カバー装置１の取付領域（ストッパ５１、５２が圧接する領域）を除いた領域に、オープンショーケース１０の内部を視認可能とするための透明な窓部１１２、１１２が設けられている。
【００３７】
オープンショーケース１０の内部では、商品（図示せず）の陳列棚１６（１６１〜１６５）が、高さ方向に間隔をあけて設けられている。
陳列棚１６の先端には、商品の転落防止や、値札など取り付けのための壁部１７が設けられている。
【００３８】
商店の閉店後などに、オープンショーケース１０の開口部１５の正面をカバー部材２で覆う場合には、例えば、カバー部材２の把手２２を把持して下方に引っ張ることで、開口部１５の上側に設置されたカバー装置１からカバー部材２を引き出す。
【００３９】
そして、引き出されたカバー部材２のカーテンエッジ２１を、オープンショーケース１０の開口部１５の下側のアンダーカバー部１１３に固定する。
カーテンエッジ２１のアンダーカバー部１１３に対する固定は、カーテンエッジ２１に設けられた磁石２３、２３の磁力で実現する。
【００４０】
これにより、オープンショーケース１０の開口部１５を、カバー部材２で覆った状態で保持できるので、開口部１５からの冷気の漏出を抑制できる。
また、カバー部材２には貫通孔２０が設けられているので、カバー部材２のオープンショーケース１０の内部側の面（内側面）への結露を抑制できる。
【００４１】
図４は、カバー装置１の使用例を説明する図である。図４では、開口部１５からの冷気の漏出を抑えつつ、陳列棚への商品の補充を行う場合のカバー装置１の使用例が示されている。
前記したように、オープンショーケース１０では、開口部１５を挟んだ上部と下部にカバー装置１が設置されている。
例えば、陳列棚１６３上の商品の補充や入れ替え作業を行う場合には、上部に取り付けたカバー装置１から引き出したカバー部材２のカーテンエッジ２１を、磁石２３、２３の磁力により、陳列棚１６２の壁部１７に固定する。これにより、陳列棚１６２、１６１の開口が、上部に取り付けられたカバー装置１のカバー部材２で覆われる。
【００４２】
また、下部に取り付けられたカバー装置１から引き出したカバー部材２のカーテンエッジ２１を、磁石２３、２３の磁力により、陳列棚１６３の壁部１７に固定する。これにより、陳列棚１６５、１６４の開口が、下部に取り付けられたカバー装置１のカバー部材２で覆われる。
【００４３】
このようにすることによって、商品の補充を行う陳列棚１６３の開口のみ、オープンショーケース１０の正面側からアクセス可能にすることができる。
これにより、商品の補充を行わない他の陳列棚１６５、１６４、１６２、１６１の開口をカバー部材２で覆ったままで、陳列棚１６３への商品の補充を行うことができる。
【００４４】
そして、陳列棚１６３の商品の補充を完了した後、陳列棚１６５に対する商品の補充を行う場合には、下部に取り付けたカバー装置１から引き出したカバー部材２のカーテンエッジ２１を、磁石２３、２３により、陳列棚１６５の壁部１７に固定する。さらに、上部に取り付けたカバー装置１から引き出したカバー部材２のカーテンエッジ２１を、磁石２３、２３により、陳列棚１６４の壁部１７に固定する。
これにより、商品の補充を行わない他の陳列棚１６４、１６３、１６２、１６１の開口をカバー部材２で覆ったままで、陳列棚１６５への商品の補充を行うことができる。
このように、オープンショーケース１０の開口部１５を挟んだ上部と下部にカバー装置１、１を設置することで、商品の補充を行わない陳列棚の開口をカバー部材２で塞ぐことができる。これにより、商品の補充を行わない陳列棚の開口からの冷気の漏出を抑制できる。
【００４５】
以上の通り、本実施形態にかかるカバー装置１は、以下の構成を有している。
（１）カバー装置１は、
長手方向に連続する巻き癖が付与されたシート状のカバー部材２と、
カバー部材２が外周に巻き回される芯材３と、を有している。
芯材３から引き出されたカバー部材２が、巻き癖により芯材３に巻き取られる構成とした。
【００４６】
このように構成すると、引き出されたカバー部材の巻き取りに巻取ばねを必要としないので、カバー装置の小型化が可能であり、設置の自由度が高いカバー装置となる。
【００４７】
本実施形態にかかるカバー装置１は、以下の構成を有している。
（２）芯材３は、カバー部材２の長手方向の一端２ａ側が外周に固定された筒状部材である。
芯材３は、カバー部材２の幅方向に沿う向きで設けられており、筒状の芯材３の内部をホルダ４（軸状部材）が貫通している。
芯材３は、当該芯材３の内部を貫通したホルダ４で回転可能に支持されている。
ホルダ４は、貫通方向に伸縮可能であり、芯材３はホルダ４で回転可能に支持されている。
【００４８】
このように構成すると、ホルダ４を伸縮させることで、オープンショーケース１０の対向する側壁部１１１、１１１の間でホルダ４を支持させることができる。
これにより、カバー装置１を、ネジ止めなどを必要とせずに、オープンショーケース１０の内部に簡単に設置できる。また、カバー装置１の設置後に、オープンショーケース１０の内部におけるカバー装置１の位置を簡単に変更できるので、カバー装置１の設置の自由度が向上する。
【００４９】
本実施形態にかかるカバー装置１は、以下の構成を有している。
（３）ホルダ４（軸状部材）の長手方向の両端に、磁石５４、５４が設けられている。
【００５０】
このように構成すると、磁石５４、５４の磁力により、ホルダ４をオープンショーケース１０内に固定できる。これにより、カバー装置１の設置後に、オープンショーケース１０の内部におけるカバー装置１の位置を簡単に変更できるので、カバー装置１の設置の自由度が向上する。
【００５１】
本実施形態にかかるカバー装置１は、以下の構成を有している。
（４）カバー部材２の長手方向の他端２ｂに、カバー部材２の幅方向に沿うカーテンエッジ２１（帯状部材）が設けられている。
カーテンエッジ２１に、把手２２と、磁石２３、２３のうちの少なくとも一方が設けられている。
【００５２】
このように構成すると、把手２２を把持してカバー部材２を引き出した後に、カーテンエッジ２１に設けられた磁石２３、２３により、カーテンエッジ２１を、オープンショーケース１０の開口部１５の周縁部（アンダーカバー部１１３）に固定できる。
また、オープンショーケース１０の開口部１５の周縁部にフック部（図示せず）が設けられている場合には、このフック部に把手２２を係止させることで、カバー部材２を伸長した状態で保持できる。
何れの場合においても、カバー部材２を引き出した状態で保持して、オープンショーケース１０の開口部１５を覆うことができる。
【００５３】
本実施形態は、カバー装置１を有するオープンショーケース１０としても特定できる。
（５）オープンショーケース１０は、
上下方向に間隔をあけて複数の陳列棚１６（１６１〜１６５）と、
陳列棚１６（１６１〜１６５）にアクセス可能な開口部１５と、を有する。
オープンショーケース１０では、開口部１５の周縁部（アンダーカバー部１１３またはアッパカバー部１１４）にカバー装置１が設けられている。
アンダーカバー部１１３に設けたカバー装置１から引き出されたカバー部材２が、開口部１５を挟んで反対側のアッパカバー部１１４（周縁部）と、複数の陳列棚１６（１６１〜１６５）棚のうちの任意の陳列棚１６とのうちの何れかに、磁石２３、２３の磁力により固定される。
【００５４】
このように構成すると、引き出されたカバー部材２を、オープンショーケース１０の所望の位置に固定できるので、設置の自由度が高いカバー装置となる。
【００５５】
本実施形態にかかるオープンショーケース１０は、以下の構成を有している。
（６）オープンショーケース１０では、開口部１５を挟んだ一方側（上側）と他方側（下側）の周縁部にカバー装置１、１がそれぞれ設けられている。
カバー装置１は、
長手方向に連続する巻き癖が付与されたシート状のカバー部材２と、
カバー部材２が外周に巻き回される芯材３と、
芯材３を回転可能に支持するホルダ４と、を有している。
カバー部材２は、長手方向の一端２ａ側が芯材３の外周に固定されていると共に、他端２ｂに、カバー部材２の幅方向に沿うカーテンエッジ２１（帯状部材）が設けられている。
カーテンエッジ２１に、磁石２３、２３が設けられている。
芯材３から引き出されたカバー部材２は、巻き癖により芯材３に巻き取り可能である。
芯材３から引き出されたカバー部材２は、カーテンエッジ２１に設けた磁石２３、２３により、陳列棚１６（壁部１７）に固定されて、陳列棚１６の間の開口を覆うことができる。
開口部１５を挟んだ一方側のカバー装置１のカーテンエッジ２１が固定される陳列棚１６と、他方側のカバー装置１のカーテンエッジ２１が固定される陳列棚１６との組み合わせの変更により、カバー部材２で開口が覆われていない陳列棚１６を変更可能である。
【００５６】
このように構成すると、商品の補充を行う陳列棚１６の開口のみを、オープンショーケース１０の正面側からアクセス可能にすることができる。
これにより、商品の補充を行わない他の陳列棚１６の開口をカバー部材２で覆ったままで、陳列棚１６への商品の補充を行うことができるので、商品の補充を行わない陳列棚の開口からの冷気の漏出を抑制できる。
【００５７】
＜第２実施形態＞
以下、第２実施形態にかかるカバー装置１Ａを説明する。
図５は、第２実施形態にかかるカバー装置１Ａを説明する図であり、図５の（ａ）は、カバー部材２Ａの他端２ｂ側を引き出した状態を示す図である。図５の（ｂ）は、図５の（ａ）におけるＡ−Ａ線に沿って切断した断面図である。なお、図５の（ｂ）では、カバー部材２の他端２ｂ側のカーテンエッジ２１の向きを水平方向に変えて示している。
図６は、第２実施形態にかかるカバー装置１Ａを説明する図であり、（ａ）は、カバー部材２Ａを伸張させる前の状態を示した断面図であり、（ｂ）は、カバー部材２Ａを伸張させた後の状態を示した断面図である。
図７は、カバー装置１Ａの使用態様を説明する図である。
【００５８】
図５および図６に示すように、カバー装置１Ａは、長手方向に連続する巻き癖が付与されたシート状のカバー部材２Ａと、カバー部材２Ａが外周に固定された芯材３と、芯材３を回転可能に支持するホルダ４と、を有する。
【００５９】
芯材３は、カバー部材２Ａの長手方向の一端２ａ（図２の（ｃ）参照）が外周に固定された筒状部材であり、芯材３の内部を、ホルダ４が貫通している。
なお、芯材３とホルダ４は、前記した第１実施形態のカバー装置１と同じであるので、ここでは説明を省略する。
【００６０】
カバー部材２Ａは、長手方向の途中位置で折り返した一枚の帯状の樹脂シートを、折り返し部２ｃを起点として巻いた基本形状を有している。
カバー部材２Ａは、一枚の樹脂シートを折り返して重ねたのち、折り返し部２ｃを起点として巻き、その状態で熱をかけることで、巻いた状態の基本形状で保持されるようにして形成されている。
【００６１】
カバー部材２Ａの一端２ａは、筒状の芯材３の外周に固定されている。
カバー部材２の他端２ｂには、帯状の芯板２７が幅方向の全長に亘って取り付けられている。芯板２７には、樹脂性のカーテンエッジ２１が係合している。
カーテンエッジ２１は、カバー部材２の幅方向の全長に亘って設けられた帯状部材である。
【００６２】
図５の（ａ）に示すようにカーテンエッジ２１の幅方向の中央部には、ユーザにより把持される環状の把手２２が取り付けられている。
さらに、カーテンエッジ２１では、把手２２の両側に、磁石２３、２３が取り付けられている。磁石２３、２３は、把手２２を挟んで対称となる位置関係で、カーテンエッジ２１の側面に設けられている。
図５の（ａ）では、磁石２３、２３がカーテンエッジ２１の紙面裏側の面に設けられている。磁石２３、２３は、カーテンエッジ２１を、陳列棚１６や開口部１５の周縁部に固定することができる位置であれば、カーテンエッジ２１の厚み方向における一方側の面（図５の（ｂ）における上側の面）と、他方側の面（図５の（ｂ）における下側の面）の何れに設けても良い。磁石２３を設ける位置および、磁石２３の大きさは、カバー装置１Ａの使用状態に応じて適宜変更可能である。
【００６３】
図６の（ａ）に示すように、基本形状を成すカバー部材２Ａでは、折り返し部２ｃが中心に位置する巻き付き部２ｄから、カバー部材２Ａの長手方向の一端２ａ側と他端２ｂ側
が延びている。
カバー装置１Ａでは、カバー部材２Ａの一端２ａと他端２ｂを互いに離れる方向に引っ張ると、巻き付き部２ｄから、樹脂シートが順次引き出されて、カバー部材２Ａが伸長するようになっている（図６の（ｂ）参照）。
【００６４】
この際に、折り返し部２ｃを境としてカバー部材２Ａの一端２ａ側（以下、上側部２５）と他端２ｂ側（以下、下側部２６）が、巻き付き部２ｄから同じ長さずつ引き出されることで、カバー部材２Ａの巻き付き部２ｄがカバー部材２Ａの長手方向の中央に常に位置した状態で、カバー部材２Ａが伸長するようになっている（図６の（ａ）、（ｂ）参照）。
【００６５】
なお、カバー部材２Ａは、可撓性と弾性とを有する透明な樹脂材料から構成されており、このカバー部材２Ａは、熱処理により、巻いた状態の基本形状となるように巻き癖が付けられている。
そのため、伸長させた状態のカバー部材２Ａには、巻いた状態の基本形状に戻ろうとする復元力が作用している。
そのため、カバー部材２Ａの一端２ａと他端２ｂを互いに離れる方向に引っ張る力が作用しなくなると、カバー部材２Ａの上側部２５と下側部２６が、復元力により、巻き付き部２ｄ内に順次引き込まれて、カバー部材２Ａが巻き付き方向（長手方向）に縮まるようになっている。
【００６６】
カバー部材２Ａには、当該カバー部材２Ａを厚み方向に貫通する貫通孔２０が設けられている。
図５の（ａ）に示すように、実施の形態では、カバー部材２Ａの伸長方向（高さ方向）における貫通孔２０の間隔Ｗａ、Ｗｂが、下側部２６のほうが上側部２５よりも大きくなるように設定されており、貫通孔２０による開口率が、上側部２５の方が下側部２６よりも大きくなるようにされている。
そのため、下側部２６の貫通孔２０を通って外部に漏出する冷気の量が、上側部２５の貫通孔２０を通って外部に漏出する冷気の量よりも少なくなるようになっている。
なお、貫通孔２０による開口率が、上側部２５と下側部２６で同じであっても良い。
【００６７】
図７は、カバー装置１Ａの使用例を説明する図である。
図７の（ａ）は、オープンショーケース１０の開口部１５を、上側に配置したカバー装置１Ａのカバー部材２Ａで覆った状態を模式的に示した図である。図７の（ｂ）は、開口部１５からの冷気の漏出を抑えつつ、陳列棚への商品の補充を行う場合のカバー装置１Ａの使用例が示されている。
【００６８】
図７の（ａ）に示すように、オープンショーケース１０では、開口部１５を挟んだ上部と下部にカバー装置１Ａが設定されている。
開口部１５を全面に亘ってカバー部材２Ａで覆う場合には、上部に配置されたカバー装置１Ａまたは下部に配置されたカバー装置１Ａから、カバー部材２Ａを引き出した後、カーテンエッジ２１を、磁石２３、２３の磁力により、オープンショーケース１０のアンダーカバー部１１３またはアッパカバー部１１４に固定する（図７の（ａ）参照）。
【００６９】
例えば、陳列棚１６３上の商品の補充や入れ替え作業を行う場合には、上部に取り付けたカバー装置１Ａから引き出したカバー部材２Ａのカーテンエッジ２１を、磁石２３、２３の磁力により、陳列棚１６２の壁部１７に固定する。これにより、陳列棚１６２、１６１の開口が、上部に取り付けられたカバー装置１Ａのカバー部材２Ａで覆われる。
【００７０】
また、下部に取り付けられたカバー装置１Ａから引き出したカバー部材２Ａのカーテンエッジ２１を、磁石２３、２３の磁力により、陳列棚１６３の壁部１７に固定する。これにより、陳列棚１６５、１６４の開口が、下部に取り付けられたカバー装置１のカバー部材２で覆われる。
【００７１】
このようにすることによって、商品の補充を行う陳列棚１６３の開口のみ、オープンショーケース１０の正面側からアクセス可能にすることができる。
これにより、商品の補充を行わない他の陳列棚１６５、１６４、１６２、１６１の開口をカバー部材２Ａで覆ったままで、陳列棚１６３への商品の補充を行うことができる。
【００７２】
以上の通り、第２実施形態にかかるカバー装置１Ａは、以下の構成を有している。
（７）カバー装置１Ａは、
長手方向に連続する巻き癖が付与されたシート状のカバー部材２Ａと、
カバー部材２Ａの一端２ａが外周に固定された芯材３と、を有している。
カバー部材２Ａは、一枚の帯状の樹脂製シートを長手方向の途中位置で折り返して、折り返し部２ｃを起点として巻いて形成した巻き付き部２ｄを備える基本形状を有する。
カバー部材２Ａは、形状が基本形状で保持されるように、熱処理（プレストレス）により巻き癖が付けられている。
カバー部材２Ａは、長手方向の他端２ｂ側を一端２ａから離す方向に引っ張る力が作用すると、巻き付き部２ｄから、樹脂シート（上側部２５、下側部２６）が順次引き出されて、カバー部材２Ａが伸長する。
他端２ｂ側を一端２ａから離す方向に引っ張る力が作用しなくなると、巻き癖に起因する復元力により、引き出されていたカバー部材２Ａの一端２ａ側（上側部２５）と他端２ｂ側（下側部２６）が巻き付き部２ｄ内に順次引き込まれて、カバー部材２Ａが巻き付き方向（長手方向）に縮まるようになっている構成とした。
【００７３】
このように構成すると、引き出されたカバー部材の巻き取りに巻取ばねを必要としないので、カバー装置の小型化が可能であり、設置の自由度が高いカバー装置となる。
特に、巻き癖に起因する復元力を利用することで、カバー部材２Ａの自動巻取り可能なカバー装置１Ａが実現されるので、この自動巻戻り機能を持つカバー装置１Ａとすることで、カバー部材２Ａの開閉（特に開放）をスピーディに行うことができる。
【００７４】
（８）芯材３は、カバー部材２Ａの長手方向の一端２ａ側が外周に固定された筒状部材である。
芯材３は、カバー部材２Ａの幅方向に沿う向きで設けられており、筒状の芯材３の内部をホルダ４（軸状部材）が貫通している。
芯材３は、当該芯材３の内部を貫通したホルダ４で回転可能に支持されている。
ホルダ４は、貫通方向に伸縮可能であり、芯材３はホルダ４で回転可能に支持されている。
【００７５】
このように構成すると、ホルダ４を伸縮させることで、オープンショーケース１０の対向する側壁部１１１、１１１の間でホルダ４を支持させることができる。
これにより、カバー装置１Ａを、ネジ止めなどを必要とせずに、オープンショーケース１０の内部に簡単に設置できる。また、カバー装置１Ａの設置後に、オープンショーケース１０の内部におけるカバー装置１Ａの位置を簡単に変更できるので、カバー装置１Ａの設置の自由度が向上する。
【００７６】
本実施形態は、カバー装置１Ａを有するオープンショーケース１０としても特定できる。
（９）オープンショーケース１０は、
上下方向に間隔をあけて複数の陳列棚１６（１６１〜１６５）と、
陳列棚１６（１６１〜１６５）にアクセス可能な開口部１５と、を有する。
オープンショーケース１０では、開口部１５を挟んだ一方側（上側）と他方側（下側）にカバー装置１Ａ、１Ａが設けられている。
カバー装置１Ａは、
長手方向に連続する巻き癖が付与されたシート状のカバー部材２Ａと、
カバー部材２Ａが外周に固定された芯材３と、
芯材３を回転可能に支持するホルダ４と、を有している。
カバー部材２Ａは、長手方向の一端２ａ側が芯材３の外周に固定されていると共に、他端２ｂに、カバー部材２Ａの幅方向に沿うカーテンエッジ２１（帯状部材）が設けられている。
カーテンエッジ２１に、磁石２３、２３が設けられている。
カバー部材２Ａは、一枚の帯状の樹脂製シートを長手方向の途中位置で折り返して、折り返し部２ｃを起点として巻いて形成した巻き付き部２ｄを備える基本形状を有する。
カバー部材２Ａは、形状が基本形状で保持されるように、熱処理（プレストレス）により巻き癖が付けられている。
カバー部材２Ａは、長手方向の他端２ｂ側を一端２ａから離す方向に引っ張る力が作用すると、巻き付き部２ｄから、樹脂シート（上側部２５、下側部２６）が順次引き出されて、カバー部材２Ａが伸長する。
他端２ｂ側を一端２ａから離す方向に引っ張る力が作用しなくなると、巻き癖に起因する復元力により、引き出されていたカバー部材２Ａの一端２ａ側（上側部２５）と他端２ｂ側（下側部２６）が巻き付き部２ｄ内に順次引き込まれて、カバー部材２Ａが巻き付き方向（長手方向）に縮まるようになっている。
伸張されたカバー部材２Ａは、カーテンエッジ２１に設けた磁石２３、２３により、陳列棚１６に固定されて、陳列棚１６の間の開口を覆うことができる。
開口部１５を挟んだ一方側のカバー装置１Ａのカーテンエッジ２１が固定される陳列棚１６と、他方側のカバー装置１Ａのカーテンエッジ２１が固定される陳列棚１６との組み合わせの変更により、カバー部材２Ａで開口が覆われていない陳列棚１６を変更可能である。
【００７７】
このように構成すると、商品の補充を行う陳列棚１６の開口のみを、オープンショーケース１０の正面側からアクセス可能にすることができる。
これにより、商品の補充を行わない他の陳列棚１６の開口をカバー部材２で覆ったままで、陳列棚１６への商品の補充を行うことができるので、商品の補充を行わない陳列棚の開口からの冷気の漏出を抑制できる。
【００７８】
なお、第１実施形態および第２実施形態では、カバー部材２が外周に巻き回された筒状の芯材３と、カバー部材２Ａの一端２ａが外周に固定された筒状の芯材３とが、当該芯材３を貫通するホルダ４を介して、オープンショーケース１０の側壁部１１１、１１１に固定されている場合を例示した。
例えば、側壁部１１１、１１１の内周に、筒状の芯材３を回転可能に支持する支持部が設けられている場合には、ホルダ４を省略しても良い。
【００７９】
＜第３実施形態＞
図８および図９は、第３実施形態にかかるカバー装置１Ｂを説明する図である。
図８の（ａ）は、カバー装置１Ｂの断面図である。図８の（ｂ）は、カバー装置１Ｂの使用例を説明する図である。
図９の（ａ）は、オープンショーケース１０の開口部１５を、上側に配置したカバー装置１Ｂのカバー部材２Ｂと、下側に配置したカバー装置１Ｂのカバー部材２Ｂで覆った状態を模式的に示した図である。図９の（ｂ）は、開口部１５からの冷気の漏出を抑えつつ、陳列棚への商品の補充を行う場合のカバー装置１Ｂの使用例が示されている。
【００８０】
前記したカバー装置１Ａ（図７の（ｂ）参照）の場合には、カバー部材２Ａの一端２ａに筒状の芯材３が固定されている場合を例示した。
図８の（ａ）に示すように、カバー部材２Ｂの一端２ａと他端２ｂの両方に、カーテンエッジ２１が設けられた構成のカバー装置１Ｂとしても良い。
【００８１】
図８の（ａ）に示すように、カバー装置１Ｂのカーテンエッジ２１、２１では、当該カーテンエッジ２１の厚み方向における一方側の面（図８の（ａ）における左側の面）と、他方側の面（図８の（ａ）における右側の面）の両方に、磁石２３、２３が取り付けられている。
なお、磁石２３、２３は、カーテンエッジ２１の厚み方向における一方側の面（図８の（ａ）における左側の面）と、他方側の面（図８の（ａ）における右側の面）のうちの少なくとも一方の面に設けられていれば良い。
磁石２３を設ける位置および、磁石２３の大きさは、カバー装置１Ａの使用状態に応じて適宜変更可能である。
【００８２】
ここで、カバー部材２Ｂの基本構成は、前記した第２実施形態のカバー部材２Ａと同じであるので、ここでは説明を省略する。
【００８３】
以下、カバー装置１Ｂの使用例を説明する図である。
図８の（ｂ）に示すように、オープンショーケース１０の開口部１５を、１つのカバー部材２Ｂで覆う際には、カバー部材２Ｂの一端２ａに設けたカーテンエッジ２１を、オープンショーケース１０の開口部１５の上辺を囲むアッパカバー部１１４に磁石２３で固定する。
さらに、カバー部材２Ｂの他端２ｂに設けたカーテンエッジ２１を、オープンショーケース１０の開口部１５の下辺を囲むアンダーカバー部１１３に磁石５４で固定する。
これにより、オープンショーケース１０の開口部１５をカバー部材２Ｂで覆うことができる。
【００８４】
図９の（ａ）に示すように、オープンショーケース１０の開口部１５を、２つのカバー部材２Ｂで覆う際には、オープンショーケース１０の開口部１５の上辺を囲むアッパカバー部１１４と、下辺を囲むアンダーカバー部１１３に、カバー部材２Ｂのカーテンエッジ２１を磁石２３で固定する。
【００８５】
そして、アッパカバー部１１４側のカバー装置１Ｂから引き出したカバー部材２Ｂのカーテンエッジ２１と、アンダーカバー部１１３側のカバー装置１Ｂから引き出したカバー部材２Ｂのカーテンエッジ２１を、磁石２３、２３の磁力で、同じ陳列棚１６７の壁部１７に固定する。
これにより、オープンショーケース１０の開口部１５をカバー部材２Ｂで覆うことができる。
【００８６】
また、陳列棚１６４上の商品の補充や入れ替え作業を行う場合には、アッパカバー部１１４側のカバー装置１Ｂから引き出したカバー部材２Ｂのカーテンエッジ２１を、磁石２３、２３の磁力により、陳列棚１６３の壁部１７に固定する。これにより、陳列棚１６３、１６２、１６１の開口が、アッパカバー部１１４側のカバー装置１Ｂのカバー部材２Ｂで覆われる。
【００８７】
また、アンダーカバー部１１３側のカバー装置１Ｂから引き出したカバー部材２Ｂのカーテンエッジ２１を、磁石２３、２３の磁力により、陳列棚１６４の壁部１７に固定する。これにより、陳列棚１６５の開口が、アンダーカバー部１１３側のカバー装置１Ｂから引き出したカバー部材２Ｂで覆われる。
【００８８】
このようにすることによって、商品の補充を行う陳列棚１６４の開口のみ、オープンショーケース１０の正面側からアクセス可能にすることができる。
これにより、商品の補充を行わない他の陳列棚１６５、１６３、１６２、１６１の開口をカバー部材２Ｂ、２Ｂで覆ったままで、陳列棚１６４への商品の補充を行うことができる。
【００８９】
以上の通り、第３実施形態にかかるカバー装置１Ｂは、以下の構成を有している。
（１０）カバー装置１Ｂは、
長手方向に連続する巻き癖が付与されたシート状のカバー部材２Ｂと、
カバー部材２Ｂの長手方向の一端２ａと他端２ｂに、カバー部材２Ｂの幅方向に沿う向きで設けられたカーテンエッジ２１（帯状部材）と、を有する。
カーテンエッジ２１では、当該カーテンエッジ２１の厚み方向における少なくとも一方の面に磁石２３、２３が設けられている。
カバー部材２Ｂは、一枚の帯状の樹脂製シートを長手方向の途中位置で折り返して、折り返し部２ｃを起点として巻いて形成した巻き付き部２ｄを備える基本形状を有する。
カバー部材２Ｂは、形状が基本形状で保持されるように、熱処理（プレストレス）により巻き癖が付けられている。
カバー部材２Ｂは、長手方向の他端２ｂ側のカーテンエッジ２１に、一端２ａ側のカーテンエッジ２１から離す方向の引っ張り力が作用すると、巻き付き部２ｄから、樹脂シート（上側部２５、下側部２６）が順次引き出されて、カバー部材２Ｂが伸長する。
引っ張り力が作用しなくなると、巻き癖に起因する復元力により、引き出されていたカバー部材２Ａの一端２ａ側（上側部２５）と他端２ｂ側（下側部２６）が巻き付き部２ｄ内に順次引き込まれて、カバー部材２Ａが巻き付き方向（長手方向）に縮まるようになっている構成とした。
【００９０】
このように構成すると、カバー部材２Ｂが伸長させた後に、一端２ａ側のカーテンエッジ２１と、他端２ｂ側のカーテンエッジ２１を、磁石２３、２３の磁力により、オープンショーケース１０の開口部１５を挟んだ一方側と他方側の周縁部（アンダーカバー部１１３、アッパカバー部１１４）に固定できる。
これにより、カバー部材２Ｂを引き出した状態で保持して、オープンショーケース１０の開口部１５を覆うことができる。
【００９１】
引き出されたカバー部材の巻き取りに巻取ばねを必要としないので、カバー装置の小型化が可能であり、設置の自由度が高いカバー装置となる。
特に、巻き癖に起因する復元力を利用することで、カバー部材２Ａの自動巻取り可能なカバー装置１Ａが実現されるので、この自動巻戻り機能を持つカバー装置１Ａとすることで、カバー部材２Ａの開閉（特に開放）をスピーディに行うことができる。
【００９２】
さらに、カーテンエッジ２１の磁石２３により、オープンショーケース１０の開口部１５を挟んだ周縁部にカーテンエッジ２１を固定できるので、設置の自由度が高いカバー装置となる。
【００９３】
本実施形態は、カバー装置１Ｂを有するオープンショーケース１０としても特定できる。
（１１）オープンショーケース１０は、
上下方向に間隔をあけて複数の陳列棚１６（１６１〜１６５）と、
陳列棚１６（１６１〜１６５）にアクセス可能な開口部１５と、を有する。
オープンショーケース１０では、開口部１５を挟んだ一方側（上側）と他方側（下側）にカバー装置１Ｂ、１Ｂが設けられている。
カバー装置１Ｂは、
長手方向に連続する巻き癖が付与されたシート状のカバー部材２Ｂと、
カバー部材２Ｂの長手方向の一端２ａと他端２ｂに、カバー部材２Ｂの幅方向に沿う向きで設けられたカーテンエッジ２１（帯状部材）と、を有する。
カーテンエッジ２１に、磁石２３、２３が設けられている。
カバー部材２Ｂは、一枚の帯状の樹脂製シートを長手方向の途中位置で折り返して、折り返し部２ｃを起点として巻いて形成した巻き付き部２ｄを備える基本形状を有する。
カバー部材２Ｂは、形状が基本形状で保持されるように、熱処理（プレストレス）により巻き癖が付けられている。
カバー部材２Ｂは、長手方向の他端２ｂ側を一端２ａから離す方向に引っ張る力が作用すると、巻き付き部２ｄから、樹脂シート（上側部２５、下側部２６）が順次引き出されて、カバー部材２Ｂが伸長する。
他端２ｂ側を一端２ａから離す方向に引っ張る力が作用しなくなると、巻き癖に起因する復元力により、引き出されていたカバー部材２Ｂの一端２ａ側（上側部２５）と他端２ｂ側（下側部２６）が巻き付き部２ｄ内に順次引き込まれて、カバー部材２Ｂが巻き付き方向（長手方向）に縮まるようになっている。
伸張されたカバー部材２Ｂは、カーテンエッジ２１に設けた磁石２３、２３により、陳列棚１６に固定されて、陳列棚１６の間の開口を覆うことができる。
開口部１５を挟んだ一方側のカバー装置１Ｂのカーテンエッジ２１が固定される陳列棚１６と、他方側のカバー装置１Ｂのカーテンエッジ２１が固定される陳列棚１６との組み合わせの変更により、カバー部材２Ｂで開口が覆われていない陳列棚１６を変更可能である。
【００９４】
このように構成すると、商品の補充を行う陳列棚１６の開口のみを、オープンショーケース１０の正面側からアクセス可能にすることができる。
これにより、商品の補充を行わない他の陳列棚１６の開口をカバー部材２で覆ったままで、陳列棚１６への商品の補充を行うことができるので、商品の補充を行わない陳列棚の開口からの冷気の漏出を抑制できる。
【符号の説明】
【００９５】
１、１Ａ、１Ｂ      ：カバー装置
２、２Ａ、２Ｂ      ：カバー部材
２ａ      ：一端
２ｂ      ：他端
２ｃ      ：折り返し部
２ｄ      ：巻き付き部
２０      ：貫通孔
２１      ：カーテンエッジ
２２      ：把手
２３      ：磁石
２５      ：上側部
２６      ：下側部
２７      ：芯板
３        ：芯材
３１      ：一端
３２      ：他端
４        ：ホルダ
４１      ：外筒部
４１０    ：ピン
４２      ：内筒部
４２１    ：一端部
４２２    ：他端部
５１、５２      ：ストッパ
５３      ：支持部材
５４      ：磁石
１０      ：オープンショーケース
１１１    ：側壁部
１１２    ：窓部
１１３    ：アンダーカバー部
１１４    ：アッパカバー部
１５      ：開口部
１６（１６１〜１６５）      ：陳列棚
１７      ：壁部
Ｃ        ：中心軸
Ｓｐ      ：スプリング
【図１】
0003222330.tif 000003
【図２】
0003222330.tif 000004
【図３】
0003222330.tif 000005
【図４】
0003222330.tif 000006
【図５】
0003222330.tif 000007
【図６】
0003222330.tif 000008
【図７】
0003222330.tif 000009
【図８】
0003222330.tif 000010
【図９】
0003222330.tif 000011